Podtech/llm-jp-corpus-v4-ja_patent huggingface dataset:
(57)【要約】【課題】本考案は草履を手編みする時に、常時片手でロープを引っ張っていなくても済むように。又、どこでもできるよう編み機の形を小さくして両手を使用し、安全で疲れにくく能率的に作業ができ、初心者でも形の良い物が出来る事。【解決手段】本考案は長方形で足より少し大きめの平板１を使用し一方につま先板２をつけ、もう一方にかかと部３をつけてロープを掛けやすくした。穴４と針金５、５’により平板１と固定ができ、両手使用が可能となり、平面上にさえぎるものがないので編みやすい。ロープ掛け番号６や草履型線７や鼻緒付け線８で、能率良く編めて初心者でも解りやすい。【選択図】図１
0003119974.tif 000002
【実用新案登録請求の範囲】
【請求項１】
足形状の平板で縦方向右端に適応数の凹凸部と左端表面には突起部を設け横方向両側の適応地点に穴を設けて必要に応じた長さの針金を平板の裏面からＵ字型に穴を通して表面に出しふせてある。
【請求項２】
平板の表面には草履型線Ｍ、Ｌと鼻緒付線とロープ掛け番号Ｉ、ＩＩ、ＩＩＩ、ＩＶと記してある。
【考案の詳細な説明】
【技術分野】
【０００１】本考案は草履を手編みするために改良された補助具である。
【背景技術】
【０００２】従来においては足指を使用したり、大きなＬ字型の編み機であったり、フックを使用した手編み台であった。
【考案の開示】
【考案が解決しようとする課題】
【０００３】足指使用の場合、前屈になり片手でロープを押さえるため疲労し易い。急用の時にすぐに対応できない。草履の形も不安定である。【０００４】大きな編み機は場所を取り、片側だけの突起にロープを掛けて片手で支えながらもう一方の手を使用するため能率が悪く熟練を要する。【０００５】フック使用の編み台は、フックが編み手の邪魔になり手を痛める恐れもある。
【課題を解決するための手段】
【０００６】平板にロープを固定し安全に両手使用を可能にするため、突起部と凹凸部と穴と針金を設けた。【０００７】能率良く形も良くするために、ロープ掛け番号と草履型線Ｍ、Ｌと鼻緒付け線を記し場所を取らないよう足形状の平板を使用した。
【考案の効果】
【０００８】本考案の編み機によれば、突起部、凹凸部、穴と針金でロープが平板に固定されるので両手が自由に使え、楽な姿勢で作業ができ疲れにくい。ロープ掛け番号や草履型線や鼻緒付け線により能率良く形の良い物ができる。膝の上や机上で作業ができる。編み面上にさえぎる物がないので安全である。
【考案を実施する為の最良の形態】
【０００９】編み機は、突起部の左右の高さと、穴と針金によって、ロープと平板に隙間ができ、手指の出入りが楽である。又、穴と針金と凹凸部により、編み面が平らになり、草履型線に沿って編める。故に、能率も上がり、疲れにくく、形の良い草履が出来る。
【実施例】
【００１０】本考案の実施例を添付図により説明
【図１】
三面図
編み機は、１．平板    ２．つま先板    ３．かかと部
４．穴    ５．針金    ６．ロープ掛け番号
７．草履型線Ｍ、Ｌ    ８．鼻緒付け線    ５’．裏面針金
以上のように構成された手編み機の役割は、１〜５、５’でロープを固定し、６〜８を用いると草履作りが手順良く、形良くできるよう工夫されている。
【図２】
編み機にロープを掛けた概況図
イ．ロープの先端を少々残し、以下の順番でロープを掛ける。つま先板２右からかかと部３へロープ掛け番号６の順に二往復してつま先板２左へ。
ロ．イで掛けたロープの下を通してロープの先端と結ぶ。
ハ．穴４から導いた針金５で、両側ロープの内側から外側裏面へ曲げてロープを平板１に固定する。
【図３】
編み方の概況図
イ．つま先板２の輪ロープをはずし、▲１▼の布の始めから順番に編み始める。
ロ．▲１５▼で布の始めをよせ、一緒に編み込む。▲２０▼で布をしめ、つま先を整える。
ハ．草履型線７にそって編み進める。
【産業上の利用可能性】
【００１１】  本考案は草履を手で編むのに用いられる補助具の改良に関する。
【図面の簡単な説明】
【００１２】
【図１】本考案の草履編み機を示す三面図
【図２】編み機にロープを掛けた概況図
【図３】編み方の概況図
【符号の説明】
【００１３】  １．平板    ２．つま先板    ３．かかと部    ４．穴（２ヶ所）
５．針金（１本）    ６．ロープ掛け番号（Ｉ、ＩＩ、ＩＩＩ、ＩＶ）
７．草履型線Ｍ、Ｌ    ８．鼻緒付け線（２ヶ所）    ５’．裏面針金
【図１】
0003119974.tif 000003
【図２】
0003119974.tif 000004
【図３】
0003119974.tif 000005
【手続補正書】
【提出日】平成17年12月14日(2005.12.14)
【手続補正１】
【補正対象書類名】実用新案登録請求の範囲
【補正対象項目名】全文
【補正方法】変更
【補正の内容】
【実用新案登録請求の範囲】
【請求項１】
本体の形状が足型状の平板で縦方向右端に適応数の凹凸部と左端表面には突起部を設け横方向両側の適応地点に穴を設けて必要に応じた長さの針金を平板の裏面からＵ字型に穴を通して表面に出しふせてあることを特徴とする草履の手編み機。
【請求項２】
平板の表面には草履型線（Ｍ，Ｌ）と鼻緒付線とロープ掛け番号（Ｉ、ＩＩ、ＩＩＩ、ＩＶ）とを記したことを特徴とする請求項１記載の草履の手編み機。
(57)【要約】      （修正有）【課題】運搬物の落下衝撃に対する耐久性が高く、しかも低コストで製造することのできるコンベヤベルトを提供する。【解決手段】ベルト本体１の内部にベルト本体１の厚さ方向に弾性変形可能な中空体５を埋設したので、中空体５の弾性変形によって運搬物の落下衝撃を吸収することができ、ベルト本体１の耐久性を向上させることができる。これにより、ベルト本体１の劣化を効果的に防止することができる。この場合、中空体５と共にベルト本体１を成形すればよいので、材料の使用量が増加したり、高価な材料を使用する必要もなく、低コストに製造することができる。【選択図】図１
0003119938.tif 000002
【実用新案登録請求の範囲】
【請求項１】
シート状のゴムからなるベルト本体に任意の運搬物を載置して搬送するコンベヤベルトにおいて、
前記ベルト本体の内部にベルト本体の厚さ方向に弾性変形可能な中空体を埋設した
ことを特徴とするコンベヤベルト。
【請求項２】
前記中空体として管状ゴムを用いた
ことを特徴とする請求項１記載のコンベヤベルト。
【考案の詳細な説明】
【技術分野】
【０００１】
本考案は、例えば鉱山や採石場等に設置されたベルトコンベヤに用いられるコンベヤベルトに関するものである。
【背景技術】
【０００２】
一般に、各種運搬物を搬送するためのベルトコンベヤは、無端状に形成されたコンベヤベルトと、コンベヤベルトが巻き掛けられた複数のプーリとからなり、プーリを回転させてコンベヤベルト上の運搬物を搬送するように構成されている。また、前記ベルトコンベヤに用いられるコンベヤベルトとしては、カバーゴムと補強材とを積層することによってシート状のベルト本体を形成したものが知られている（例えば、特許文献１参照。）。
【０００３】
ところで、前記コンベヤベルトでは、例えば鉱山や採石場等で使用される場合など、大型で重量の大きい運搬物がコンベヤベルトに落下すると、衝撃でベルト本体のカバーゴムや補強材が劣化し易いという問題がある。そこで、従来では、カバーゴムの厚さ寸法を大きくする、衝撃吸収性に優れた材質のものを使用する、補強材に強度の高いものを使用する、補強材を複数層に形成する、補強材に螺旋状のスチールコードを使用する、スチールコードに径の大きいものを用いるなど、ベルト本体の厚さ寸法や材質を変えることにより、ベルト本体の耐久性を向上させるようにしている。
【特許文献１】特開昭５９−１２４６１０号公報
【考案の開示】
【考案が解決しようとする課題】
【０００４】
しかしながら、ベルト本体の耐久性を向上させるために、ベルト本体の厚さ寸法や材質を変えるようにした場合には、材料の使用量が増加したり、或いは高価な材料を使用しなければならず、製造コストが高くつくという問題点があった。
【０００５】
本考案は前記問題点に鑑みてなされたものであり、その目的とするところは、運搬物の落下衝撃に対する耐久性が高く、しかも低コストで製造することのできるコンベヤベルトを提供することにある。
【課題を解決するための手段】
【０００６】
本考案は前記目的を達成するために、シート状のゴムからなるベルト本体に任意の運搬物を載置して搬送するコンベヤベルトにおいて、前記ベルト本体の内部にベルト本体の厚さ方向に弾性変形可能な中空体を埋設している。
【０００７】
これにより、ベルト本体上に運搬物が落下すると、ベルト本体内の中空体が弾性変形し、運搬物の落下衝撃が中空体によって吸収される。
【考案の効果】
【０００８】
本考案のコンベヤベルトによれば、中空体の弾性変形によって運搬物の落下衝撃を吸収することができるので、ベルト本体の耐久性を向上させることができ、ベルト本体の劣化を効果的に防止することができる。この場合、中空体と共にベルト本体を成形すればよいので、材料の使用量が増加したり、高価な材料を使用する必要もなく、低コストに製造することができる。
【考案を実施するための最良の形態】
【０００９】
図１及び図２は本考案の一実施形態を示すもので、図１はコンベヤベルトの断面図、図２はベルトコンベヤの部分側面図である。
【００１０】
このコンベヤベルトは、シート状のゴムからなるベルト本体１に任意の運搬物Ａを載置して搬送するものである。ベルト本体１は、上面側カバーゴム層２と、下面側カバーゴム層３と、各カバーゴム層２，３の間に設けられた補強材４と、上面側カバーゴム層２内に埋設された複数の中空体５とから形成されている。各中空体５は、ゴムホース、ゴムチューブ等、ベルト本体１の厚さ方向に弾性変形可能な管状ゴムからなり、ベルト本体１の長手方向に沿って延びるように互いにベルト本体１の幅方向に間隔をおいて配置されている。
【００１１】
前記コンベヤベルトは、図２に示すようにベルト本体１をベルトコンベヤ１０のプーリ１１に巻き掛けられ、ベルト本体１の上面に載置した運搬物Ａをプーリ１１の回転により搬送するようになっている。その際、ベルト本体１上に運搬物Ａが落下すると、ベルト本体１内の中空体５が弾性変形し、運搬物Ａの落下衝撃が中空体５によって吸収される。
【００１２】
このように、本実施形態のコンベヤベルトによれば、ベルト本体１の内部にベルト本体１の厚さ方向に弾性変形可能な中空体５を埋設したので、中空体５の弾性変形によって運搬物Ａの落下衝撃を吸収することができ、ベルト本体１の耐久性を向上させることができる。これにより、ベルト本体１の劣化を効果的に防止することができる。この場合、各中空体５と共にベルト本体１を成形すればよいので、材料の使用量が増加したり、高価な材料を使用する必要もなく、低コストに製造することができる。
【００１３】
また、中空体５を管状ゴムによって形成するようにしたので、中空体５にゴムホースやゴムチューブ等の汎用品を用いることができ、低コスト化に極めて有利である。
【図面の簡単な説明】
【００１４】
【図１】本考案の一実施形態を示すコンベヤベルトの断面図
【図２】ベルトコンベヤの部分側面図
【符号の説明】
【００１５】
１…ベルト本体、５…中空体、Ａ…運搬物。
【図１】
0003119938.tif 000003
【図２】
0003119938.tif 000004
(57)【要約】      （修正有）【課題】最適で効率的な乳液使用量と乳液の浸透位置を正確に安定させ、且つ、誰でも容易、且つ、正確な二つ折り曲げを可能にした乳液使用目安量溜溝付化粧用コットンを提供する。【解決手段】繊維目方向に位置する縦Ｙと、繊維目に対して垂直方向に位置する横Ｘと、厚さが所定寸法を有し、且つ、中心部に直径と深さが所定寸法を有する円形状の溜溝２を設け、且つ、縦方向中間部の横方向左右両端に乳液垂れ防止部４，４’を有し、且つ、深さが所定寸法を有する乳液馴染ませ用折り曲げ溝３を設けたコットン１から成り、且つ、コットン使用時は適量の乳液を溜溝部に含ませ、且つ、折り曲げ溝部から折り曲げて馴染み易くしたものである。【選択図】図１
0003119936.tif 000002
【実用新案登録請求の範囲】
【請求項１】
繊維目（ＦＥ）方向に位置する縦（Ｙ）と、繊維目（ＦＥ）に対して垂直方向に位置する横（Ｘ）と、厚さ（Ｔ）が各所定寸法を有し、且つ、表面中心部に溜溝（２）を設け、且つ、縦（Ｙ）方向中間部の横（Ｘ）方向左右両端に乳液垂れ防止部（４）（４'）を有する乳液馴染ませ用折り曲げ溝（３）を設けたコットン（１）から成り、且つ、コットン（１）使用時は適量の乳液（ＭＬ）を溜溝（２）部に充満させ、且つ、折り曲げ溝（３）部から折り曲げて全体を均等に馴染み易くした事を特徴とする乳液使用目安量溜溝付化粧用コットン。
【考案の詳細な説明】
【技術分野】
【０００１】
この考案は、乳液使用目安量溜溝付化粧用コットンに関するものである。
【背景技術】
【０００２】
従来の化粧用コットンは、表面がフラットな為、乳液をコットンに浸透させる際、注入量が不安定に成り、使用期間や効果にバラツキを生じていた。
【０００３】
又、適量の乳液をコットンの中心部に浸透させた後、コットンを半分に折り曲げて馴染み易くするが、注入し浸透させる乳液量がばらついたり、乳液を浸透する位置が中心からずれたり、折り曲げ方向を誤ったりすると馴染み方も不安定に成り、上手に化粧が出来ない等の問題があった。
【０００４】
これまでに出願されている化粧用コットンの特許文献を参考の為、紹介する。（特許文献１〜２参照。）
【特許文献１】特開２００２−２６２９３１
【特許文献１】登録実用新案第３０９３２０７号
【考案の開示】
【考案が解決しようとする課題】
【０００５】
そこで、上記課題を解決する為に、この考案は最適で効率的な乳液使用量と乳液の浸透位置を正確に安定させ、且つ、誰でも容易、且つ、正確な二つ折り曲げを可能にした乳液使用目安量溜溝付化粧用コットンを開発・提供する事にある。
【課題を解決するための手段】
【０００６】
この課題を解決する為の手段として、繊維目方向に位置する縦と、繊維目に対して垂直方向に位置する横と、厚さが各所定寸法を有し、且つ、表面中心部に溜溝を設け、且つ、縦方向中間部の横方向左右両端に乳液垂れ防止部を有する乳液馴染ませ用折り曲げ溝を設けたコットンから成り、且つ、コットン使用時は適量の乳液を溜溝部に充満させ、且つ、折り曲げ溝部から折り曲げて全体を均等に馴染み易くしたものである。
【考案の効果】
【０００７】
この考案の効果として、繊維目方向に位置する縦と、繊維目に対して垂直方向に位置する横と、厚さが各所定寸法を有し、且つ、表面中心部に溜溝を設け、且つ、縦方向中間部の横方向左右両端に乳液垂れ防止部を有する乳液馴染ませ用折り曲げ溝を設けたコットンから成り、且つ、コットン使用時は適量の乳液を溜溝部に充満させ、且つ、折り曲げ溝部から折り曲げて全体を均等に馴染み易くした事で、最適な乳液使用量を最適な位置に浸透させ、且つ、乳液がコットンに上手く全体に均等に馴染む為、最適条件で安定した上手な化粧が可能と成る等、極めて有益なる効果を奏するものである。
【考案を実施するための最良の形態】
【０００８】
この考案の最良の形態として、一回当りに使用する最適な乳液量と、乳液をコットンに上手く馴染ませる為の最適な寸法形状に形成する事が重要である。
【実施例１】
【０００９】
そこで、この考案の一実施例を図１〜図２に基づいて詳述すると、繊維目（ＦＥ）方向に位置する縦（Ｙ）と、繊維目（ＦＥ）に対して垂直方向に位置する横（Ｘ）と、厚さ（Ｔ）が各所定寸法を有し、且つ、表面中心部に直径（φｄ）と深さ（ｈ）が各所定寸法を有する円形状の溜溝（２）を設け、且つ、縦（Ｙ）方向中間部の横（Ｘ）方向左右両端に乳液垂れ防止部（４）（４’）を有し、且つ、深さ（ｈ）が所定寸法を有する乳液馴染ませ用折り曲げ溝（３）を設けたコットン（１）から成り、且つ、コットン（１）使用時は適量の乳液（ＭＬ）を溜溝（２）部に充満させ、且つ、折り曲げ溝（３）部から折り曲げて全体を均等に馴染み易くした事を特徴とする乳液使用目安量溜溝付化粧用コットンから構成される。
【００１０】
次に、この考案の材質・寸法形状について説明すると、まず材質は綿、又は、コットンを使用し、図１（Ａ）（Ｂ）に示す様に縦（Ｙ）寸法が約７０ｍｍで、横（Ｘ）寸法が約６２ｍｍで、厚さ（Ｔ）寸法が約５ｍｍの矩形状に形成され、且つ、中心部に直径約φ２３ｍｍの１０円硬貨大で深さ（Ｔ）が約１．５〜２．０ｍｍ程度の円形状の溜溝（２）を設け、更に繊維目方向である縦（Ｙ）方向中間部の横（Ｘ）方向左右両端に乳液垂れ防止部（４）（４’）を有し、且つ、深さ（ｈ）が所定寸法を有する乳液馴染ませ用折り曲げ溝（３）を設けて、乳液（ＭＬ）が外側に流出しない様、乳液垂れ防止部（４）（４’）には段差を設けている。
【００１１】
図３は、コットン（１）の溜溝（２）部への乳液（ＭＬ）注入要領を示す拡大断面図である。
【００１２】
図４は乳液注入後のコットン（１）二つ折り曲げ要領を示す斜視図である。
【００１３】
次に、この考案の乳液注入方法について説明すると、まず図３に示す様にコットン（１）の中央部に設けた円形状の溜溝（２）部に乳液（ＭＬ）が全体に充満する程度注入する。そして、次に図４に示す様に折り曲げ溝（３）に沿って二つに折り曲げ乳液（ＭＬ’）が繊維目（ＦＥ）に沿って全体に均等に浸透するのを確認して使用する。
【産業上の利用可能性】
【００１４】
この考案の乳液使用目安量溜溝付化粧用コットンは、最適で効率的な乳液使用量と乳液の浸透範囲を正確に安定させ、且つ、誰でも容易、且つ、正確な二つ折り曲げを可能にした事で、多くの化粧品愛用者に寄与する点で産業上の利用可能性を有する。
【図面の簡単な説明】
【００１５】
【図１】この考案の一実施例を示し、（Ａ）は平面図で、（Ｂ）は正面図である。
【図２】この考案の一実施例を示し、図１（Ａ）のａ−ａ矢視拡大断面図である。
【図３】この考案の使用例を示し、乳液注入要領を示す拡大断面図である。
【図４】この考案の使用例を示し、コットン二つ折り時の斜視図である。
【符号の説明】
【００１６】
１  コットン
２  溜溝
３  折り曲げ溝
４  左乳液垂れ防止部
４’  右乳液垂れ防止部
φｄ  直径
ＦＥ  繊維目
ｈ  深さ
Ｘ  横
Ｙ  縦
ＭＬ  乳液
ＭＬ’  乳液
Ｔ  厚さ
【図１】
0003119936.tif 000003
【図２】
0003119936.tif 000004
【図３】
0003119936.tif 000005
【図４】
0003119936.tif 000006
(57)【要約】      （修正有）【課題】従来の学習教材は、基本的に加工の仕方や組み立て方を教授する説明書などが添付されており、生徒はその説明書に基づいて加工や組み立てを行うものであった。この考案は、生徒の段取り力を向上させるような学習教材を提供する。【解決手段】底板となる矩形形状の平板と、断面が矩形形状の角材であって、長手方向の一面に両面テープを貼り付けたものとを備えたことを特徴とする。角材は、低発砲スチロールを圧縮した素材で構成する。【選択図】図４
0003119939.tif 000002
【実用新案登録請求の範囲】
【請求項１】
底板となる矩形形状の平板と、断面が矩形形状の角材であって、長手方向の一面に両面テープを貼り付けたものとを備えたことを特徴とする段取り力養成用学習教材。
【請求項２】
請求項１に記載の段取り力養成用学習教材において、
前記角材は、低発砲スチロールを圧縮した素材からなることを特徴とする段取り力養成用学習教材。
【考案の詳細な説明】
【技術分野】
【０００１】
この考案は、生徒に与えて加工および組み立てさせることにより、段取り力を養成するのに好適な学習教材に関する。
【背景技術】
【０００２】
従来より学習用の各種の教材が考案されている。これらの学習教材は、基本的に加工の仕方や組み立て方を教授する説明書などが添付されており、生徒はその説明書に基づいて加工や組み立てを行うものであった。
【考案の開示】
【考案が解決しようとする課題】
【０００３】
しかしながら、説明書を与えず、生徒自らが加工や組み立ての手順まで含めて考えさせるような教材はなかった。説明書などを与えずに、生徒自らが加工や組み立ての段取りを考えるようにさせることで、段取り力が身に付き、ひいては物作りを通じてプラン・ドゥ・シー（PLAN DO SEE）の能力が身に付けられる。これにより「生きる力」の養成を行うことができる。
【０００４】
この考案は、生徒の段取り力を向上させるような学習教材を提供することを目的とする。
【課題を解決するための手段】
【０００５】
上記目的を達成するため、請求項１に係る考案の段取り力養成用学習教材は、底板となる矩形形状の平板と、断面が矩形形状の角材であって、長手方向の一面に両面テープを貼り付けたものとを備えたことを特徴とする。
【０００６】
請求項２に係る考案は、請求項１に記載の段取り力養成用学習教材において、
【０００７】
前記角材は、低発砲スチロールを圧縮した素材からなることを特徴とする。
【考案の効果】
【０００８】
本考案によれば、生徒の段取り力を向上させるような学習教材が提供される。特に角材の長手方向の一面に両面テープを貼り付けるという簡単な構成で、生徒に段取り力を用いて考えさせる教材を実現できる。
【考案を実施するための最良の形態】
【０００９】
以下、図面を用いて本考案の実施の形態を説明する。
【００１０】
図１および図２は、本考案に係る教材の外観を示す。図１は、断面が矩形の角材１０１を示し、その長手方向の一面には両面テープ１０２が貼付されている。角材１０１は、低発泡スチロールを圧縮し表面に木目の模様を付した擬似的な木材のような材質で構成され、通常の木材と同様に鋸や鉋などを使えるものである。角材１０１の断面の矩形の大きさは、Ｂ＝１５ｍｍ、Ｃ＝７．５ｍｍ程度の大きさとする。また角材１０１の長手方向の長さは、Ａ＝２７００ｃｍ程度とする。図２の２０１は底板となる平板である。平板２０１は、ここではＥ＝９ｃｍ程度の正方形の形状をしているベニヤ板のような平板である。
【００１１】
生徒に図１および図２の教材を与え、さらに木材を加工できる鋸などの道具を与え、説明書なしで鉛筆立て（筆入れ）を作成するように指示する。それ以外の指示は特にない。生徒は、自ら考えこれらの教材を加工して鉛筆立てを作成する。なお、もし組み立てられないような生徒がいたら、後述する鉛筆立ての完成形の図や写真や実物を見せても良い。
【００１２】
通常、生徒は、図１の角材１０１が長いので、図２の平板２０１の一端に貼り付けられるように細かく切ることをまず考える。図３（ａ）は、図１の角材１０１を長さＤに切った角材３０１を示す。長さＤは、図２の平板２０１の一辺Ｅにほぼ等しい長さとする必要がある。次に、図３（ｂ）のように、両面テープ３０２の保護用紙３１１を剥ぎ取り接着面３１２を露出させ、図４（ａ）の３０１−１あるいは３０１−２のように、平板２０１の上に貼り付ける。さらに、格子状に、図４（ｂ）の３０１−３および３０１−４のように積み上げていく。これを繰り返し、図４（ｃ）のように完成品としての鉛筆立てを作成する。
【００１３】
これらの作成の過程において、例えば角材１０１を図３（ａ）のように切り分けるとき、その長さを定規を用いて測る生徒もいるだろうし、あるいは図２の平板２０１の一辺を図１の角材１０１に当てながら切れ目を入れていく生徒もいると思われる。説明書を与えていないので、生徒は、自分で完成形をイメージして段取りを考えながら、図４（ｃ）の完成形を目指すことになる。この過程で、段取り力が養成されるものである。
【図面の簡単な説明】
【００１４】
【図１】本考案の実施の形態に係る教材のうち角材部分の外観図
【図２】本実施形態の教材の平板の外観図
【図３】角材を分割した様子および両面テープの保護用紙を剥ぎ取った様子を示す図
【図４】組み立ての途中の様子および完成形の鉛筆立てを示す外観図
【符号の説明】
【００１５】
１０１…角材、１０２…両面テープ、２０１…平板。
【図１】
0003119939.tif 000003
【図２】
0003119939.tif 000004
【図３】
0003119939.tif 000005
【図４】
0003119939.tif 000006
(57)【要約】      （修正有）【課題】エプロンの着脱が誰でも簡単に素早く出来、且つ、食べこぼしがあっても確実にキャッチする為、床上に落下して汚れる心配が無い乳児用ポケット付エプロンを提供する。【解決手段】上部左右に首宛部を設け、且つ、首宛部の先端表裏部に面ファスナー等の固着部材をそれぞれ縫着したエプロンと、エプロンの裏面下部に受口部をテクノロート等の樹脂製形状保持ワイヤーを挿設したポケットから成り、且つ、食事をする時はポケットが表面側になる様に裏返し、受口部を拡大して使用するものである。【選択図】図１
0003119935.tif 000002
【実用新案登録請求の範囲】
【請求項１】
上部左右に首宛部（１ａ）（１ａ’）を設け、且つ、該首宛部（１ａ）（１ａ’）の先端表裏部に面ファスナー等の固着部材（Ｆ）（Ｆ’）をそれぞれ縫着したエプロン（１）と、エプロン（１）裏面下部の受口部（５）に袋状部材（３）を縫着し、且つ、該袋状部材（３）の中に樹脂製形状保持ワイヤー（Ｐ）を挿設したポケット（２）から成り、且つ、食事時等に使用する時はポケット（２）が表面側になる様に裏返し、且つ、受口部（５）を任意に拡大して使用する事を特徴とする乳児用ポケット付エプロン。
【考案の詳細な説明】
【技術分野】
【０００１】
この考案は、乳児用ポケット付エプロンに関するものである。
【背景技術】
【０００２】
従来、乳児が食事時等に胸元に掛けて使用するエプロンは、食べこぼしが多く、食事の後の掃除が大変で、又、涎等で汚れ易く洗濯等の手間が大変であった。
【０００３】
又、エプロンの着脱も紐で結ぶものが多く、食事毎に紐で結ぶ手間は特に主婦にとっては大変煩わしさがあった。
【０００４】
これまでに出願されている乳児用エプロンの特許文献を参考の為、紹介する。（特許文献１〜３参照。）
【特許文献１】特開平１０−２３７７１２
【特許文献２】特許公表２００５−５１３２８５公表日
【特許文献３】登録実用新案第３０９２６５４号
【考案の開示】
【考案が解決しようとする課題】
【０００５】
そこで、上記課題を解決する為に、この考案はエプロンの着脱が誰でも簡単、且つ、迅速に出来、且つ、食べこぼしがあっても確実にキャッチする為、床面上に落下して汚れる心配が無い乳児用ポケット付エプロンを開発・提供する事にある。
【課題を解決するための手段】
【０００６】
この課題を解決する為の手段として、上部左右に首宛部を設け、且つ、該首宛部の先端表裏部に面ファスナー等の固着部材をそれぞれ縫着したエプロンと、エプロン裏面下部の受口部に袋状部材を縫着し、且つ、該袋状部材の中に樹脂製形状保持ワイヤーを挿設したポケットから成り、且つ、食事時等に使用する時はポケットが表面側になる様に裏返し、且つ、受口部を任意に拡大して使用するものである。
【考案の効果】
【０００７】
この考案の効果として、上部左右に首宛部を設け、且つ、該首宛部の先端表裏部に面ファスナー等の固着部材をそれぞれ縫着したエプロンと、エプロン裏面下部の受口部に袋状部材を縫着し、且つ、該袋状部材の中に樹脂製形状保持ワイヤーを挿設したポケットから成り、且つ、食事時等に使用する時はポケットが表面側になる様に裏返し、且つ、受口部を任意に拡大して使用する事で、エプロンの着脱が誰でも簡単、且つ、迅速に出来、且つ、ポケットの受け口を拡げて、食べこぼした物や涎等を確実にキャッチすることで、掃除の手間が省ける等、極めて有益なる効果を奏するものである。
【考案を実施するための最良の形態】
【０００８】
この考案の最良の形態として、乳児の体格（身長・胸囲・胴囲）に適合した段階的な寸法形状に形成する事が重要である。
【実施例１】
【０００９】
そこで、この考案の一実施例を図１〜図３に基づいて詳述すると、上部左右に首宛部（１ａ）（１ａ’）を設け、且つ、該首宛部（１ａ）（１ａ’）の先端表裏部に面ファスナー等の固着部材（Ｆ）（Ｆ’）をそれぞれ縫着したエプロン（１）と、エプロン（１）裏面下部の受口部（５）に袋状部材（３）を縫着し、且つ、該袋状部材（３）の中にテクノロート（三井化学製／Ｗ−３０００番）等の樹脂製形状保持ワイヤー（Ｐ）を挿設したポケット（２）から成り、且つ、食事時等に使用する時はポケット（２）が表面側になる様に裏返し、且つ、受口部（５）を任意に拡大して使用する事を特徴とする乳児用ポケット付エプロンから構成される。
【００１０】
次に、この考案の材質・寸法形状等、詳細について説明すると、まずエプロンの表面部はポリエステル製で裏面部がウレタンラミネート製で形成され、且つ、寸法サイズは１１０号の場合、縦が約３９０ｍｍで横が約２５０ｍｍの大きさで、身長１０５０ｍｍ〜１１５０ｍｍ、胸囲５３０ｍｍ〜５９０ｍｍ、胴囲４９０ｍｍ〜５５０ｍｍの乳児に適用出来る様に成っている。
【００１１】
そして、エプロンの外周部には布製の縁飾部材（４）が縫着され、又、左右首宛部（１ａ）（１ａ’）の表裏には面ファスナー（Ｆ）（Ｆ’）が縫着され、誰でも簡単、且つ、迅速に着脱出来る様に成っている。
【００１２】
又、エプロンの裏面下部に設けたポケット（２）の受口部（５）には袋状部材（３）を縫着して、その中に軽量で安全で洗濯しても錆びる事のないテクノロート（三井化学製／Ｗ−３０００番）等の樹脂製形状保持ワイヤー（Ｐ）を挿設したものである。
【００１３】
次に、この考案の使用方法について説明すると、食事時等、食べこぼしが多い時には図４に示す様に通常裏面側に設けられているポケット（２）を、図３に示す様に裏返しにして受口部（５）を任意に拡げて拡大し、食べこぼした物を確実にキャッチする様に成っている。
【００１４】
又、食事時以外においても、涎を頻繁に掻く乳児等は涎をポケット（２）で受け止めてくれる為、床面上が汚れずに済む。又、当然の事ながらポケット（２）部を裏返さないで通常のエプロンや涎掛けとして使用することも可能である。
【産業上の利用可能性】
【００１５】
この考案のポケット付乳児用エプロンは、着脱が誰でも簡単、且つ、迅速に出来、且つ、食べこぼしがあっても確実にキャッチする為、床面上に落下して汚れる心配が無い為、乳児を持つ多くの家庭に寄与する点で産業上の利用可能性を有する。
【図面の簡単な説明】
【００１６】
【図１】この考案の一実施例を示し、正面図である。
【図２】この考案の一実施例を示し、背面図である。
【図３】この考案の一実施例を示し、図２のａ−ａ矢視拡大断面図である。
【図４】この考案の使用例を示し、ポケット部を反転して着用時の斜視図である。
【符号の説明】
【００１７】
１  エプロン
１ａ  左首宛部
１ａ’  右首宛部
２  ポケット
３  形状保持ワイヤー係止用袋状部材
４  縁飾部材
５  受口部
Ｆ  面ファスナー等の固着部材（左表面側）
Ｆ’  面ファスナー等の固着部材（右裏面側）
Ｐ  樹脂製形状保持ワイヤー
ＢＡ  乳児
【図１】
0003119935.tif 000003
【図２】
0003119935.tif 000004
【図３】
0003119935.tif 000005
【図４】
0003119935.tif 000006
(57)【要約】      （修正有）【課題】  組付け容易にして且つ強度性および風雨の進入に優れた且つ古い瓦棒を取り除くことなく可能な屋根板装置の提供。【解決手段】  両端に直立部と第１および第２曲性部と第１および第２水返し部をその両端間に複数のリブを屈曲係成した屋根板材と、両側上端に係合部を有する二段式の支持部材と、半円状にして両側端に係合部と排出路およびリブを屈曲形成したキャップ材とより成り、モヤ材に固定された支持部材の曲成部の第１および第２の水返し部を有する屋根板材の曲成部を係合させ、且つ該屋根板材の曲成部にキャップ材の係合部を係合させることにより、第１およびだい２のエアーポケットを形成している。【選択図】図４
0003119964.tif 000002
【実用新案登録請求の範囲】
【請求項１】
両端に直立部と第１および第２曲成部と第１および第２水返し部をその両端間に複数のリブを屈曲形成した屋根板材と、両側上端に係合部を有する二段式の支持部材と、半円状にして両側端に係合部と排出路およびリブを屈曲形成したキヤップ材とより成り、モヤ材に固定された支持部材の係合部に第１および第２の水返し部を有する屋根板材の曲成部を係合させ、且つ該屋根板材の曲成部にキャップ材の係合部を係合させることにより、第１および第２のエアーポケットを形成して成る屋根板装置。
【考案の詳細な説明】
【技術分野】
【０００１】  本考案は屋根板装置に関するものである。
【背景技術】
【０００２】  従来より各種の屋根板材を組付ける装置が提案されている。しかしこれら従来例たる特開平７−１１９２５６号は構造的に複雑であると共にその組付け作業にも相当な手数を要するため、屋根葺きコストが高価になる等、多くの不利を有するものである。
【考案の開示】
【考案が解決しようとする課題】
【０００３】  本考案は、屋根板材と支持部材とキヤップ材を夫々曲成加工して形成したことで強度性と弾性を有し、このため特別の工具類を用いることなく手作業のみでこれら部材の組付け加工が可能となった。
【課題を解決するための手段】
【０００４】  本考案は、屋根板材と支持部材およびキヤップ材の夫々を曲成加工したことにより、格別な工具を用いるここなくして手作業のみで弾性にして強度性を有する組付けがなされるようにしたものである。
【考案の効果】
【０００５】  上記したような本考案によると、モヤ材の固定された支持部材１０と屋根板材１およびキャップ材１７は夫々屈曲加工された屈曲部を係合させることで組付けられることができ、格別の工具を用いることなく手作業で且つ格別の技術を要せずして行うことができるので、作業時間の短縮とも相俟って低価格で提供できる。
また、支持部材は２段形式の支持部を構成しているため、屋根板材とキャップ材を強固に支持することが可能となった。
更に上記のようにして組付けられた本発明の屋根板装置の内部に侵入せんとする風雨は、先ず第１の水返し部４でもって防止され、該水返し部４を通過した風雨は次の排出路１９で外部に排出される。
この排出路１９で排出もれした風雨は、第１のエアーポケット２２によって侵入を防止され、該第１のエアーポケット２２を通過した風雨は第２のエアーポケット２３によって防止されるものである。
しかも前記した第２のエアーポケット２３を通過した風雨は、第２の水返し部８によって防止されるもので、かくして風雨の内部への侵入は確実に防止されるから、屋根板装置の耐用年数の向上にも寄与することができる。
しかも屋根板材１およびキヤップ材１７には、夫々リブを形成しているため薄層材であっても膨張収縮にも耐えられる等の十分な強度を有し、このため組付け作業時に作業者が作業をしては勿論のこと、強風にも十分に耐えたれるものであり、加えて屈曲加工しているために適度の弾性を有するので組付け作業も円滑に行わしめられる等、多くの利点を有する実用上工業上優れた発明である
【考案を実施するための最良の形態】
【０００６】  本考案は、屋根板材と支持部材とキャップ材を、夫々の係合部を介して容易に組付けて成るものである。
【実施例】
【０００７】  図１は曲成加工された屋根板材１であって長尺に形成されており、その両端には直立部２と内方へ第１曲成３して形成された第１水返し部４と第２曲成３ａを介しての第１傾斜部５および曲成部６を介した第２傾斜部７とその上端を内方へ曲成して形成された第２水返部８が夫々形成されている。
また屋根板材１の一端と他端間には、複数のリブ９が形成されており、これらリブ９によって屋根板材全体の膨張収縮に適切に対応できると共に、薄層材であっても強度性を高めると共に適度の弾性を有するものである。【０００８】  図２は曲成加工された支持部材１０であって、モヤ材にはビスで取付け固定する取付部１１を有し、その両側部１２の上端には前記した屋根板材１の曲成部３ａに係合する外方への曲成部１３が形成されている。
また、前記支持部材１０には第２支持部１４が一体的に固着されており、該第２支持部１４の直立部１５の上端に形成された内方への傾斜部１６は屋根板材１の第２傾斜部７にリブ２１によって固定される。【０００９】  図３は半円状に曲成加工されたキャップ材１７にして、屋根板材１と支持部材１０の上端部分を覆うものであり、該キャップ材１７の両側端には内方へ屈曲した係合部１８が形成され、該係合部１８は屋根板材１の屈曲部３に係合固定される。
またキヤップ材１７の係合部１８の屈曲内側は吹きつけ侵入した風雨を排出するための排出するための排出路１９とせられ、且つ上面の横方面にはリブ２０が形成されたことで、キヤップ材１７全体を薄層材であってもその強度性を高めるものである。【００１０】  図４は屋根板材１と支持部材１０およびキャップ材１５の組付け関係を示すものである。
即ち、モヤ材に固定された支持部材１０の曲成部１３に屋根板材１の曲成部３ａを係合させ、更にキヤップ材１７の係合部１８を前記した屋根板材１の曲成部３に係合覆着させることにより前記３個の部材が強固に組付けられると共に、第１エアーポケット２２および第２エアーポケット２３が形成されていて風雨の進入を確実に防止することができる。
【産業上の利用可能性】
【００１１】本考案は、屋根板材と支持部材およびキャップ材を格別の工具類を用いることなく手作業で係合させることにより、風圧にも耐えられる強度を有すると共に風雨の進入も的確に防止できて容易に利用可能なものである。
【図面の簡単な説明】
【００１２】
【図１】  本考案屋根板装置を構成する屋根板材の斜視図である。
【図２】  本考案屋根板装置を構成する支持部材の斜視図である。
【図３】  本考案屋根板材装置を構成するキヤップ材の斜視図である。
【図４】  本考案屋根板材装置の組付け関係を示す正面図である。
【符号の説明】
【００１３】  １    屋根板材
２    直立部
３    曲成部
４    第１の水返部
８    第２の水返部
９    リブ
１０    支持部材
１３    係合部
１４    第２支持部
１６    係合部
１７    キヤップ材
１８    曲成部
１９    排出部
２０    リブ
２２    第１のエアーポケット
２３    第２のエアーポケット
【図１】
0003119964.tif 000003
【図２】
0003119964.tif 000004
【図３】
0003119964.tif 000005
【図４】
0003119964.tif 000006
(57)【要約】      （修正有）【課題】ハンバーガーなどの油もの食品を食べる際、ロー引きした紙と口元を拭くための食品用薄型用紙（紙ナプキン）を１枚で加工し、通常の紙ナプキンの片面にポリプロピレンをラミネートした製品を提供する。【解決手段】食品用薄型用紙（紙ナプキン）に片面にポリプロピレンをラミネート加工することにより、１枚で油もの食品を手を汚さずにつかむ機能と口元を拭く機能とを兼用できるため一人当たりの消費枚数が減り、コスト削減につながる。また資源節減とゴミの削減にもなり環境の点からもメリットがある製品である。【選択図】図１
0003119970.tif 000002
【実用新案登録請求の範囲】
【請求項１】
通常の紙ナプキンの片面にポリプロピレンをラミネート加工した製品。
ハンバーガーやドーナツの油もの食品を食べる際、今までは手を汚さずにつかむロー引加工した紙と口元を拭くための食品用薄型用紙（紙ナプキン）が別々であったのを、１枚で両方の機能を果たせる画期的な製品である。この製品を利用することにより紙の消費枚数が減りコスト削減につながる。また資源の節減とゴミの削減にもなる環境の点からもメリットのある製品である。
【考案の詳細な説明】
【技術分野】
【０００１】紙製品
【背景技術】
【０００２】手を汚さず油もの食品をつかむために紙をロー引き加工する技術
本の表紙など紙にポリプロピレンをラミネート加工する技術
【考案の開示】
【考案が解決しようとする課題】
【０００３】ハンバーガーやドーナツの油もの食品を食べる際、今までは手を汚さずにつかむ紙と口元を拭くのに使う紙が別々のため、一人当たりの消費枚数が増えコストがかかる。
【課題を解決するための手段】
【０００４】ポリプロピレンにラミネート加工する技術を食品用薄型用紙（紙ナプキン）の片面に加工する
【考案の効果】
【０００５】紙ナプキンの片面にポリプロピレンをラミネート加工することにより、１枚で油ものを手を汚さずにつかむ機能と口を拭く機能を両方備えることができる。その結果紙ナプキンの一人当たりの消費枚数が減り経費削減につながる。また資源節減やゴミ削減の効果もある。
【考案を実施するための最良の形態】
【０００６】実施の形態を図１に基づいて説明する
図においては、食品用薄型用紙（紙ナプキン）の片面（１）にラミネート加工したポレプロピレン（２）を付着させる
【図面の簡単な説明】
【０００７】
【図１】考案の実施形態を示すバーガーナプキン紙の断面図
【図２】バーガーナプキンの平面図１
【図３】バーガーナプキンの平面図２
【図４】バーガーナプキンの平面図３
【図１】
0003119970.tif 000003
【図２】
0003119970.tif 000004
【図３】
0003119970.tif 000005
【図４】
0003119970.tif 000006
【手続補正書】
【提出日】平成17年12月5日(2005.12.5)
【手続補正１】
【補正対象書類名】実用新案登録請求の範囲
【補正対象項目名】全文
【補正方法】変更
【補正の内容】
【実用新案登録請求の範囲】
【請求項１】
紙ナプキンの片面にポリプロピレンをラミネート加工したナプキン。
(57)【要約】      （修正有）【課題】植木鉢に水の溜まる、ふち、を付け直射日光による、植木鉢内の土の温度の急激な上昇を防ぐ。【解決手段】植木鉢１の側面に水が溜まるように、ふち３を設けその植木鉢に植えられている植物に水をやる時に、植木鉢と、ふち、との空間に溜まった水２で、太陽からの直射日光による、植木鉢内の土の温度の急激な上昇を防ぐ効果により、鉢植えの植物の保護をはかる。又、側面に水が蓄えられている事による、植木鉢内の土への冷却効果により、植木鉢内の水分の蒸発が抑えられ、植木鉢に散水する回数を、大幅に減らすことができるので、共働きの家庭においても、植木鉢の植物を枯らさなくてすむと言う効果も期待できる。【選択図】図２
0003119965.tif 000002
【実用新案登録請求の範囲】
【請求項１】
植木鉢に、水の溜まる、ふちをつけたもの。
【考案の詳細な説明】
【考案の詳細な説明】
この考案は、植木鉢の側面に水が溜まるように、ふちを設けその植木鉢に植えられている植物に水をやる時に、植木鉢と、ふち、との空間に水が溜まるようにして、太陽からの直射日光による、植木鉢内の土の温度の急激な上昇を防ぐ効果により、鉢植えの植物の保護をはかるものである。
又、側面に水が蓄えられている事による、植木鉢内の土への冷却効果により、植木鉢内の水分の蒸発が抑えられ、植木鉢に散水する回数を、大幅に減らすことができるので、共働きの家庭においても、植木鉢の植物を枯らさなくてすむと言う効果も期待できる。
【図面の簡単な説明】
【図１】    本案の斜視図
【図２】    図１の断面図
【符号の説明】
１は植木鉢、２は溜まった水、３はふち。
【図１】
0003119965.tif 000003
【図２】
0003119965.tif 000004
(57)【要約】      （修正有）【課題】安価に簡便に製造できる、通気性のある蒸れない合羽を提供する。【解決手段】雨水が浸入しない部分に、網目素材を部分的に使用する。また、上着の下に隠れるズボンの上部に使用するか、使用した部分の外側に雨蓋をつける。【選択図】図２
0003119963.tif 000002
【実用新案登録請求の範囲】
【請求項１】
合羽着用時に蒸れないように通気性をを良くする方法として、網目素材を部分的に使用した合羽。雨水の浸入を防ぐため、上着の下に隠れるズボンの上部に使用するか、使用した部分の外側に雨蓋をつける。
【考案の詳細な説明】
【技術分野】
【０００１】素材に通気性のない合羽の蒸れを防止する技術
【背景技術】
【０００２】通気性のある素材の合羽は、高価で、しかも劣化するものが多い。従来の技術では、特開２０００−８２０６のように鳩目パンチで気孔をあけるものがあった。しかし、製造過程が煩雑となる欠点があった。
【考案の開示】
【考案が解決しようとする課題】
【０００３】安価に簡便に製造できる、通気性のある蒸れない合羽。
【課題を解決するための手段】
【０００４】雨水が浸入しない部分に、網目素材を部分的に使用する。
【考案の効果】
【０００５】安価に簡便に製造でき、湿気と温度を外気と同じ程度にする事が出来、蒸れや結露を防ぐ事が出来る。
【考案を実施するための最良の形態】
【０００６】ズボン上部５センチほど、上着わきの下などに網目素材を使用する。上着には、網目の上に合羽の防水素材がスカートのように蓋をする構造とする。
【実施例】
【０００７】ズボン上部５センチ、上着わきの下などに網目素材を使用し、上着には、網目の上に合羽の防水素材がスカートのように蓋をする構造の合羽は雨水の浸入もなく、蒸れを防止でき、快適であった。
【産業上の利用可能性】製造方法も簡便で、安価に製造でき、利用者に快適な合羽を提供できる。蒸れない作業着にも応用できる。
【図面の簡単な説明】
【０００８】
【図１】ズボンの網目素材使用部分を示した平面図
【図２】上着の網目素材使用部分の平面図と側面図。
【図１】
0003119963.tif 000003
【図２】
0003119963.tif 000004
【手続補正書】
【提出日】平成17年12月12日(2005.12.12)
【手続補正１】
【補正対象書類名】実用新案登録請求の範囲
【補正対象項目名】全文
【補正方法】変更
【補正の内容】
【実用新案登録請求の範囲】
【請求項１】
網目素材を部分的に使用した合羽において
（１）網目素材をズボン最上部に使用、
（２）その他の部位においては網目素材の外側に雨蓋をつける、
以上の構成からなる合羽。
(57)【要約】【課題】  施錠の時、時間が経過した時点で、物的証拠により、掛け忘れの無いことを確認する。【解決手段】  鍵の側面上部に時計を取り付け、施錠時には必ず時計の凸起部分が錠に当たり、時計の進行が止まるように設置する【選択図】  図１
0003119967.tif 000002
【実用新案登録請求の範囲】
【請求項１】
（図１）に示す通り、鍵の側面上部２にデジタル時計３を取り付け、このデジタル時計３に突出して設けられたモードボタン５を押すことによって、時刻と月日が停止と進行を交互に繰り返し表示するように構成した鍵の掛け忘れ防止具。
【考案の詳細な説明】
【考案の詳細な説明】
【技術分野】
【０００１】本考案は施錠の確認に関するものである。
【背景技術】
【０００２】現在施錠したかどうかを確認する方法は全く無く、現場に戻って視認するしか方法が無かった。
【考案が解決しようとする課題】
【０００３】解決しようとする問題点は、現在の多忙な時代に、習慣的な動作で施錠した場合、数時間を経ずに、施錠したかどうかを思い出せなくなると言う事である。
【課題が解決しようとする課題】
【０００４】本考案は記憶の薄れを物的な証拠によって、施錠したかどうかを確認できることを特徴とするものである。
【考案の効果】
【０００５】本考案の鍵は側面上部に時計を取り付けてあるが、それを見ることによって、施錠した時間を見、従って施錠したかどうかが確信できるものである。
【考案を実施するための最良の形態】
【０００６】図１に基づき実施の形態１を説明する。
鍵の側面１の上部２にデジタル時計３を取り付け、時計の下部４に凸起したボタン５が出るようになる。ボタン５は施錠する時には、（Ｂ図）鍵の穴の上部周囲６に当たり、本体内部（Ｂ図５）に押し込められ、時刻と月日を停止して表示するように設置してあるから、施錠する度に施錠時の時刻と月日を記録表示することとなる。また、鍵を抜いた状態で携帯する時には、ボタン５は本体内部（Ｂ図５）に入り鍵の側面１で保護される格好になり、容易に押し込める状態になく、通常の使用では解除されることはない。解除する場合はボールペン等で圧迫すれば、簡単に時計は元の状態に戻り、通常の時刻と月日を表示するような構造としてある。
【実施形態】
【０００７】図１は本考案装置の１実施例の正面図である。
【産業の利用可能性】
【０００８】鍵に時計を取り付けることによって、施錠したかどうかを確認できるから、施錠の度かけ忘れを防止できて、大いに防犯に役立つものである。
【図面の簡単な説明】
【０００９】
【図１】鍵のかけ忘れ防止具の実施方法を示した説明図である。
【符号の説明】
【００１０】１    鍵の側面
２    側面の上部
３    デジタル時計
４    側面デジタル時計の下部
５    ボタン
６    鍵の穴周辺
【図１】
0003119967.tif 000003
【手続補正書】
【提出日】平成17年12月15日(2005.12.15)
【手続補正１】
【補正対象書類名】実用新案登録請求の範囲
【補正対象項目名】全文
【補正方法】変更
【補正の内容】
【実用新案登録請求の範囲】
【請求項１】
鍵の持ち手側に着脱式デジタル時計を取り付け、このデジタル時計をスイッチの入りにて時刻と日付が止まり、そのままスイッチを入れたときの時刻と日付を表示した状態を続けるように、また、このデジタル時計のスイッチを切ると現在の時刻と日付を表示し、通常の時計として、日時を知らせるように設定し、このデジタル時計の入り切り用スイッチを、鍵の鍵穴への挿入部分の持ち手側に、鍵穴との接触部分に突出した形状にて取り付け、この突出したスイッチは、鍵穴に鍵を挿入するときにドア側の接触面に押されて、鍵の持ち手側の中に埋没し、そのときにスイッチが入る状態となる様に設置しておくことにより、鍵を掛けた時に、デジタル時計の時刻と日付を停止させ、その表示を続けることと形状の変化により、外出先にて施錠した事が分かる鍵の掛け忘れ防止具。
(57)【要約】      （修正有）【課題】使用しない時、花筒Ｅに水を溜めないようにする花立具の提供。【解決手段】背後に石の棒Ａを設置し、その棒Ａに花筒Ｅを逆さに挿す事で収納を可能にする花立て具。【選択図】図２
0003119968.tif 000002
【実用新案登録請求の範囲】
【請求項１】
花立ての背後に石の棒を設置し、その棒に逆さにした花筒を挿すことで花筒の収納を可能にした花立て具。
【考案の詳細な説明】
【技術分野】
【０００１】    本考案は、墓の花立てに関する。
【背景技術】
【０００２】    従来の花立てでは、花筒が常に上を向き、花筒が収納不可能であった。
【考案の開示】
【考案が解決しようとする課題】
【０００３】    しかし、これでは使用していない時に雨が降ると花筒に水が溜まり、不衛生である。
【課題を解決するための手段】
【０００４】    そこで、花筒を使用しない時、花筒に水を溜めないようにするため、背後に石の棒を設置し、その棒に花筒を逆さに挿す事で収納を可能にする花立て具を考案した。花筒を使用しない時には汚れ水が溜まり不衛生であるという課題を解決した。
【考案の効果】
【０００５】    よって、本考案の花筒逆さ花立て具により、花筒を使用しない時には花筒が収納でき、収納時には逆さの状態である水も溜まらず衛生面を保つことができる。なお収納時には棒が背後にあるため、墓全体の景観をそこなわない。
この忙しい現代、核家族の上、少子化が一途をたどり、お墓にお参りする回数が少なくなったり、お墓が家から遠くてお墓参りが思うように出来ないという背景を背負った現代社会のニーズに合った花立て具である。また、近年詠代供養墓や無縁墓が多くなっているが、本考案の花立て具により、横に花立てを増やすことで複数の花をお供えすることを可能にする。
上記のような現状を把握した上で、安心してお墓をお守りできる花立具である。
【考案を実施するための最良の形態】
【０００６】    本考案に係る花筒逆さ収納花立具は図１および図３より花立て本体Ｃは背後に石の棒を携えている。そして、使用時は前の花筒差込穴Ｂに通常通り花筒Ｅを入れ使用する。収納時はこの花筒Ｅを取り逆さにし、花筒立て棒Ａに差し込むことで収納可能になっている。さらに図３より花筒差込穴Ｂの下部に後方向に水抜き穴Ｄをあけ、水はけをよくしている。図１〜図３の花立て本体Ｃは４つの花筒Ｅを収納可能になっているがその大きさおよび個数は必要に応じて決めればよい。花立て本体Ｃの素材は墓に合うように石にするのがのぞましい。
【図面の簡単な説明】
【０００７】
【図１】    本考案に係る花筒逆さ収納花立て具の前方からの立体図である。
【図２】    本考案に係る花筒逆さ収納花立て具の後方からの立体図である。
【図３】    本考案に係る花筒逆さ収納花立ての右側面図である。
【符号の説明】
【０００８】    Ａ  花筒立て棒
Ｂ  花筒差込穴
Ｃ  花立て本体
Ｄ  水抜き穴
Ｅ  花筒
【図１】
0003119968.tif 000003
【図２】
0003119968.tif 000004
【図３】
0003119968.tif 000005